(57)【要約】【課題】ステージを入替える際に多彩な演出を行なうことで、遊技の興趣を向上させ得る遊技機を提供する。【解決手段】入賞装置Ｍの入賞空間１７に回転可能に配設したステージ部材３２に、第１、第２および第３のステージ２９,３０,３１が配設される。ステージ部材３２は、入賞装置Ｍの前面側に何れか１つのステージ２９,３０,３１を出現させて停止するよう構成される。大当りが成立すると、ステージ決定手段により前面側に出現させて停止させるステージ２９,３０,３１が決定される。制御部は、決定されたステージ２９,３０,３１を停止するまでの間に、ステージ部材３２に停止前演出動作を含む回転中演出動作を行わせる。すなわち、ステージ部材３２は単に一方向に回転するだけでなく、多彩な演出が行なわれ、遊技の興趣が向上する。【選択図】図１
2005152144.tif 000002
【特許請求の範囲】
【請求項１】
遊技球が通過し得る球入口と、該球入口を開閉可能な開閉部材と、前記球入口を介して遊技球が流入する入賞空間と、該入賞空間に流入した遊技球の通入を許容する特別領域とを有する入賞装置を備え、前記特別領域に遊技球が通入することにより遊技者に有利な特別遊技状態を成立させるようになっている遊技機において、
前記入賞空間に回転自在に設けられ、態様の異なる複数のステージを有し、回転することで前面側に出現するステージを入替可能なステージ部材と、
前記複数のステージの内、何れのステージを前面側に出現させるのかを決定するステージ決定手段と、
前記ステージ決定手段の決定結果に基づき、前記ステージ部材を回転させて決定されたステージを前面側に出現して停止させる駆動手段とを備え、
前記駆動手段は、特別遊技状態において前記ステージ決定手段で決定されたステージを前面側で停止させるまでの間に、該ステージ部材に所定の回転中演出動作を行なわせるよう構成されている
ことを特徴とする遊技機。
【請求項２】
前記回転中演出動作は、回転速度を変化させる動作、回転を一旦停止させてから再び回転させる動作を繰返す動作、および回転方向を変化させる動作の少なくとも何れか一つの動作である請求項１記載の遊技機。
【請求項３】
前記回転中演出動作は、停止前演出動作を含み、前記駆動手段は、前記ステージ部材に所定の停止前演出動作を行なわせてから停止制御するよう設定されている請求項１または２記載の遊技機。
【請求項４】
前記停止前演出動作は、２つのステージの境界が前面側に臨む状態で該境界を中心として正逆回転を繰返す動作を行なってから何れかのステージを前面側に停止させる動作、任意のステージを一旦前面側に停止させてから再び回転して該任意のステージと同じあるいは異なるステージを前面側に停止させる動作、または正回転で任意のステージが前面側を通過してから逆回転させて該任意のステージと同じあるいは異なるステージを前面側に停止させる動作である請求項３記載の遊技機。
【請求項５】
前記ステージ部材の回転中演出動作時に、該動作に合わせて効果音を出力する効果音出力手段を設けた請求項１〜４の何れかに記載の遊技機。
【発明の詳細な説明】
【技術分野】
【０００１】
この発明は、遊技機に関し、更に詳細には、入賞口から入賞空間に入った遊技球が特別領域に通入することで、遊技者にとって有利な特別遊技を成立させることのできる入賞装置を備えた遊技機に関するものである。
【背景技術】
【０００２】
例えば、所謂羽根モノと称される第２種パチンコ遊技機は、パチンコ球(遊技球)が通入する入賞口を所定条件で開閉する羽根状や扉状等の開閉部材と、種々の遊技部品が配置され、該入賞口から流入するパチンコ球に多彩な動きをさせる入賞空間と、該入賞空間に流入したパチンコ球が最終的に通入する一般入賞領域および特別領域とを備えた入賞装置を有している。ここで、前記特別遊技状態では、前記入賞空間(入賞口)に１０個のパチンコ球が通入するか、前記開閉部材の１８回の開閉または特別領域へのパチンコ球の通入の何れかが満たされたことを１回のラウンド終了条件とし、各ラウンド中に前記特別領域にパチンコ球が通入するのをラウンド継続条件として設定され、ラウンド毎にラウンド継続条件を満たせば、最大で１５回(１５ラウンド)まで特別遊技を継続して行ない得るようになっている。すなわち、特別遊技状態において、遊技者はラウンド継続条件を満たし、より多くの賞球を獲得し得るよう期待して遊技を楽しんでいる。
【０００３】
そこで、前記入賞空間内にパチンコ球を停留させ得る貯留部材を配設し、継続ラウンド中において、該貯留部材を動作させて１個のパチンコ球を所定位置に停留させると共に、所定条件後に当該貯留部材を動作させて停留していたパチンコ球を前記特別領域に向けて案内して通入させ、ほぼ確実にラウンド継続条件を満たすよう構成したパチンコ機が提案されている。しかし、この場合はパチンコ遊技が画一的となり、面白みに欠ける難点が指摘される。
【０００４】
これに対し、前記入賞装置の内部に、パチンコ球を保留(貯留)可能な球保留部を設けた複数のステージを有すると共に、各ステージにおける継続入賞口(特別領域)への入賞率を異ならせたステージ部材を回転可能に設けた遊技機が提案されている(例えば、特許文献１参照)。この特許文献１に開示の入賞装置では、各ステージにおける継続入賞口への入賞率が異なるため、ステージ部材の回転により前面側に現れるステージの種類の変化によって、パチンコ遊技の面白みを増加させることができる。
【特許文献１】特開平６−２２５９６６号公報
【発明の開示】
【発明が解決しようとする課題】
【０００５】
前記特許文献１に開示の入賞装置は、特別遊技におけるサイクル(ラウンド)が更新される度にステージ部材を回転させて、前面側に現れるステージが順番に入替わるよう構成されている。すなわち、順番にステージが入替わるため、遊技者は次に前面側に停止するステージが分かってしまい、面白味に欠ける問題があった。また、ステージが順番に入替わるだけなので、ステージが入替わるときに何らかの演出を行なうという思想があるわけではなく、遊技の興趣も乏しかった。
【０００６】
なお、特許文献１には、乱数によってステージを不規則な順序で入替えるようにすることができる旨は記載されているが、その具体的な構成については全く開示していない。しかも、ステージの不規則な入替えに際して遊技演出を行なうことに関して、全く開示していない。
【０００７】
すなわち本発明は、前述した従来の技術に内在している前記課題に鑑み、これを好適に解決するべく提案されたものであって、ステージを入替える際に多彩な演出を行なうことで、遊技の興趣を向上させ得る遊技機を提供することを目的とする。
【課題を解決するための手段】
【０００８】
前記課題を克服し、所期の目的を好適に達成するため、本発明に係る遊技機は、
遊技球(S)が通過し得る球入口(15)と、該球入口(15)を開閉可能な開閉部材(16,16)と、前記球入口(15)を介して遊技球(S)が流入する入賞空間(17)と、該入賞空間(17)に流入した遊技球(S)の通入を許容する特別領域(18)とを有する入賞装置(M)を備え、前記特別領域(18)に遊技球(S)が通入することにより遊技者に有利な特別遊技状態を成立させるようになっている遊技機において、
前記入賞空間(17)に回転自在に設けられ、態様の異なる複数のステージ(29,30,31)を有し、回転することで前面側に出現するステージ(29,30,31)を入替可能なステージ部材(32)と、
前記複数のステージ(29,30,31)の内、何れのステージ(29,30,31)を前面側に出現させるのかを決定するステージ決定手段(47)と、
前記ステージ決定手段(47)の決定結果に基づき、前記ステージ部材(32)を回転させて決定されたステージ(29,30,31)を前面側に出現して停止させる駆動手段(35,46)とを備え、
前記駆動手段(35,46)は、特別遊技状態において前記ステージ決定手段(47)で決定されたステージ(29,30,31)を前面側で停止させるまでの間に、該ステージ部材(32)に所定の回転中演出動作を行なわせるよう構成されていることを特徴とする。
【０００９】
前記回転中演出動作は、回転速度を変化させる動作、回転を一旦停止させてから再び回転させる動作を繰返す動作、および回転方向を変化させる動作の少なくとも何れか一つの動作である。
【００１０】
前記回転中演出動作は、停止前演出動作を含み、前記駆動手段(35,46)は、前記ステージ部材(32)に所定の停止前演出動作を行なわせてから停止制御するよう設定されている。
【００１１】
前記停止前演出動作は、２つのステージ(29,30,31)の境界が前面側に臨む状態で該境界を中心として正逆回転を繰返す動作を行なってから何れかのステージ(29,30,31)を前面側に停止させる動作、任意のステージ(29,30,31)を一旦前面側に停止させてから再び回転して該任意のステージ(29,30,31)と同じあるいは異なるステージ(29,30,31)を前面側に停止させる動作、または正回転で任意のステージ(29,30,31)が前面側を通過してから逆回転させて該任意のステージ(29,30,31)と同じあるいは異なるステージ(29,30,31)を前面側に停止させる動作である。
【００１２】
また、前記ステージ部材(32)の回転中演出動作時に、該動作に合わせて効果音を出力する効果音出力手段(49)を設けることができる。
【発明の効果】
【００１３】
本願の請求項１に係る発明の遊技機によれば、ステージを入替える際のステージ部材の回転中に、所定の回転中演出動作を行なわせるよう構成したから、ステージが入替わる変化だけでなく、その他の回転中演出動作により遊技の興趣を向上することができる。また、この回転中演出動作により、遊技者に何れのステージが停止するのか、ということへの興味を抱かせることができる。
【００１４】
請求項２に係る発明の遊技機によれば、前記回転中演出動作として、回転速度を変化させる動作、回転を一旦停止させてから再び回転させる動作を繰返す動作、および回転方向を変化させる動作の少なくとも何れか一つを行なわせるよう構成したので、演出が多彩となる。また、これら演出動作を組合わせることで、より多彩な演出を行なうことができる。
【００１５】
請求項３に係る発明の遊技機によれば、前記ステージ部材を停止するときに所定の停止前演出動作を行なうよう構成することで、ステージ部材の停止が間近であり、遊技者に何れのステージが前面側に停止するのかという期待感を与えることができる。
【００１６】
請求項４に係る発明の遊技機によれば、前記ステージ部材を停止させるときに、２つのステージの境界を中心として正逆回転を繰返す動作を行なうことで、遊技者にどちらのステージが前面側に停止するのかという興味を抱かせることができる。また、ステージを前面側に一旦停止させた後に再回転させたり、前面側を通過させた後に逆回転させたりすることで、停止演出に意外性を持たせることができ、遊技者の興味をより高めることができる。
【００１７】
請求項５に係る発明の遊技機によれば、前記ステージ部材による視覚的な演出だけでなく、効果音出力手段により聴覚的な演出も同時に行なうよう構成したから、遊技の興趣を一層高めることができる。
【発明を実施するための最良の形態】
【００１８】
次に、本発明に係る遊技機につき、好適な実施例を挙げて、添付図面を参照して以下に説明する。
【実施例】
【００１９】
(パチンコ機の遊技盤について)
先ず、図２に略示されるパチンコ機(遊技機)の遊技盤Ｊについて要約説明すると、該遊技盤Ｊでは、その前面に取着された略円形状に湾曲形成した案内レール１０により囲まれた遊技領域Ｉにおいて、その略中央部に入賞装置Ｍが配置される。また入賞装置Ｍより下側の遊技領域Ｉにおける左右方向の略中央位置には、第１始動入賞具Ｎ１が配設されると共に、該第１始動入賞具Ｎ１の左右両側に離間して第２始動入賞具Ｎ２,Ｎ２が夫々配設されている。各始動入賞具Ｎ１,Ｎ２は、入賞装置Ｍに対する所定の始動条件を成立させるものであって、通常遊技状態において、第１始動入賞具Ｎ１は、その内部に配設されたスイッチ(図示せず)でパチンコ球(遊技球)Ｓの入賞を検出することにより、入賞装置Ｍの後述する開閉部材１６,１６を２回開閉動させ、また第２始動入賞具Ｎ２は、その内部に配設された図示しないスイッチがパチンコ球Ｓの入賞を検出することにより、開閉部材１６,１６を１回開閉動させるよう設定されている。なお、遊技領域Ｉの適宜位置には、風車とも称されてパチンコ球Ｓの流下方向を変更する案内車１１や、遊技状態に応じて照射パターンが変更制御される電飾装置１２等が配設される。
【００２０】
(入賞装置の本体について)
前記入賞装置Ｍは、図１または図３に示すように、本体１３の外周部に設けたフランジ状の基枠体１４を介して遊技盤Ｊに装着セットするようになっている。この本体１３は、パチンコ球Ｓの通入出経路を形成すると共に各種部材を装着するために、その全体が複合組立式の筺型化されたものであって、適宜デザイン形状に形成される。前記本体１３の上部左右位置には、パチンコ球Ｓ用の入賞口(球入口)１５,１５が形成されると共に、該入賞口１５,１５を開閉してパチンコ球Ｓを２方向から本体１３内に入賞可能にする左右一組の開閉部材１６,１６が配設されている。そして、前記本体１３の内部における前記開閉部材１６,１６の下方位置には、前方に開口すると共に所要の奥行きを有する入賞空間１７が、前記入賞口１５,１５に連通するよう画成され、該入賞口１５,１５に通入したパチンコ球Ｓは該入賞空間１７に流入するよう構成してある。
【００２１】
前記本体１３における入賞空間１７の下側前方位置には、前記入賞空間１７に流入したパチンコ球Ｓの通入を許容すると共に、前記遊技盤Ｊの裏側に通出させる特別領域１８と第１の一般領域１９ａ,１９ａとが夫々設けられている。特別領域１８は、左右方向の略中央の定位置において上方に開口して１つ設けられ、また第１の一般領域１９ａ,１９ａは、特別領域１８を挟む左右両側において上方に開口して夫々設けられる。そして、図１または図５に示すように、前記本体１３における入賞空間１７の左下側後方位置には、前記入賞空間１７に流入したパチンコ球Ｓを、遊技盤Ｊの裏側に通出させる第２の一般領域１９ｂを形成してある。また、前記特別領域１８には、パチンコ球Ｓの通過を検出する特別遊技球検出センサ１８ａ(図１参照)が配設されている。なお、特別領域１８の開口幅(入口幅)は、パチンコ球Ｓの略１個分に設定してある。
【００２２】
ここで、前記第１または第２始動入賞具Ｎ１,Ｎ２へのパチンコ球Ｓの入賞に基づく前記開閉部材１６,１６の開放状態中に、パチンコ球Ｓが前記入賞装置Ｍに入賞すると共に、該パチンコ球Ｓが前記特別領域１８に通入して前記特別遊技球検出センサ１８ａにより検出されると、遊技者に有利な大当り(特別遊技)が成立する。前記大当りは、所定回数(例えば１５回)のラウンド遊技から構成され、大当り継続条件が成立することを条件に、ラウンド遊技が順次移行して大当りが継続するようになっている。すなわち、前記入賞空間１７への１０個のパチンコ球Ｓの通入または前記開閉部材１６,１６の１８回の開閉の何れかが満たされることを１回のラウンド遊技が終了するラウンド遊技終了条件として設定されると共に、ラウンド遊技中あるいはラウンド遊技終了条件が成立してから所定の設定時間(所謂有効時間、図１３または図１４参照)が経過するまでの間に前記特別領域１８にパチンコ球Ｓが通入することを大当り継続条件として設定され、最大で１５回までラウンド遊技を行なって大当りを継続し得るようになっている。なお、前記通常遊技状態とは、特別遊技(大当り)状態以外の遊技状態のことをいう。
【００２３】
(開閉部材について)
前記両開閉部材１６,１６は、図４に示す如く、左右対称な構造、形状に成形された内外方向への傾動形態とされて、前記本体１３の裏側に配設されたソレノイド２０を駆動源とする作動機構２１により開閉動作するよう構成される。すなわち、開閉部材１６,１６は、前記入賞口１５,１５を閉鎖する起立対向位置が通常の閉鎖状態とされ、その上端が外向きに傾倒して入賞口１５,１５を開放した位置が開放状態とされて、前記作動機構２１により両開閉部材１６,１６を閉鎖状態と開放状態とに同時に傾動変化して入賞口１５,１５を開閉するようになっている。従って、各開閉部材１６の夫々が開放状態にある場合に、前記遊技領域Ｉを流下するパチンコ球Ｓが、前記入賞口１５,１５を介して本体１３の内部(入賞空間１７)へ流入可能となる。
【００２４】
図４に示すように、前記本体１３における前記両開閉部材１６,１６の間には、略中央位置が上方に突出する球受け台２２が形成されると共に、該球受け台２２における左右両端部には、前記入賞空間１７に連通する案内出口２３,２３が開設されている。すなわち、前記開閉部材１６,１６が開放状態に傾動した際に、前記入賞口１５,１５に通入したパチンコ球Ｓは、直接または球受け台２２を転動した後に、前記案内出口２３,２３の何れか一方から前記入賞空間１７に流入する。なお、各案内出口２３には、パチンコ球Ｓの通過を検出する球検出センサ２３ａ(図４参照)が配設されており、該球検出センサ２３ａがパチンコ球Ｓの通入を検出することにより、入賞空間１７(入賞装置Ｍ)へのパチンコ球Ｓの入賞個数がカウントされると共に、所定数(例えば１０球)の賞球が払い出されるようになっている。
【００２５】
(入賞空間について)
前記入賞空間１７は、図３に示すように、前方に開口する略矩形箱状に形成されて前記本体１３の大部分を占有するよう構成されると共に、該空間１７の上下方向における上側に偏った位置(下から略２／３の位置)に形成された仕切板２４により、上部入賞空間１７ａと下部入賞空間１７ｂとに仕切られている。なお、前記仕切板２４は、前記案内出口２３,２３の下方に臨む位置において、入賞空間１７の前側略半分を上下に遮蔽する寸法に設定され、案内出口２３,２３から入賞空間１７に流入するパチンコ球Ｓは、先ず上部入賞空間１７ａ内に通入して仕切板２４上に落下し、該仕切板２４を転動して下部入賞空間１７ｂに案内されるようになっている。また図４に示す如く、仕切板２４の左右両側には、上部入賞空間１７ａに通入したパチンコ球Ｓを、下部入賞空間１７ｂの左右両側に向けて通出させる第１通路２４ａ,２４ａが設けられると共に、左右方向の略中央には、上部入賞空間１７ａに通入したパチンコ球Ｓを、下部入賞空間１７ｂの左右方向の略中央後方に向けて通出させる第２通路２４ｂが後方に向けて下方傾斜するよう設けられている。
【００２６】
図１または図５に示すように、前記下部入賞空間１７ｂ(入賞空間１７)の底面には、後述するステージ部材３２が配設される所要径の凹部２５が、前記特別領域１８と第２の一般領域１９ｂとの間に形成されている。すなわち、前記ステージ部材３２の前方位置に前記特別領域１８が設けられ、該ステージ部材３２の後方位置に前記第２の一般領域１９ｂが設けてある。従って、前記特別領域１８は、前記ステージ部材３２とは別体で定位置に設けられている。また、前記下部入賞空間１７ｂ(入賞空間１７)の底面における前記凹部２５より前側は、前方へ向けて下方傾斜する第１傾斜面２６ａが形成されると共に、該凹部２５より後側は、後方へ向けて下方傾斜する第２傾斜面２６ｂが形成されている。なお、前記本体１３の前側下部には、前記第１傾斜面２６ａの前端縁から所要間隔離間した位置に前板１３ａが取着されており、該前板１３ａと第１傾斜面２６ａの前端縁との間に、前記特別領域１８および第１の一般領域１９ａ,１９ａの夫々が上方に向けて開口するよう設けてある。また、前記第２傾斜面２６ｂの後端縁側には、左方に向けて下方傾斜する第３傾斜面２６ｃが形成されており、該第３傾斜面２６ｃの傾斜下端部側に前記第２の一般領域１９ｂが上方に向けて開口するよう設けられている。すなわち、前記下部入賞空間１７ｂ内に流入したパチンコ球Ｓは、前記第１傾斜面２６ａに沿って前記特別領域１８および第１の一般領域１９ａ,１９ａに向けて転動するか、前記第２および第３傾斜面２６ｂ,２６ｃに沿って前記第２の一般領域１９ｂに向けて転動するようになっている。
【００２７】
前記第１傾斜面２６ａの前端部における左右方向の略中央位置には、前記特別領域１８に対して前後に整列して略球１個分の幅寸法で離間して案内片２７,２７が立設されている。そして、この案内片２７,２７は、後述するステージ部材３２に設けられている第１の貯留部材３９、第２の貯留部材４１または案内部材４２から放出されるパチンコ球Ｓの特別領域１８への確実な通入を行なわせると共に、第１傾斜面２６ａを転動するパチンコ球Ｓの特別領域１８への通入を規制するべく機能する。
【００２８】
(振分け部材について)
前記上部入賞空間１７ａには、前記仕切板２４の第２通路２４ｂを挟む左右両側に、図示しない作動機構により左右に揺動される振分け部材２８が夫々揺動可能に配設される。この一対の振分け部材２８,２８は、前記案内出口２３,２３から落下するパチンコ球Ｓを前記第１通路２４ａ,２４ａに向けて案内する第１状態(図３に実線で示す)と、該パチンコ球Ｓを前記第２通路２４ｂに向けて案内する第２状態(図３に２点鎖線で示す)とに変化して、上部入賞空間１７ａに通入したパチンコ球Ｓを、第１通路２４ａ,２４ａまたは第２通路２４ｂに振分け得るよう構成されている。より詳しくは、前記振分け部材２８,２８が第１状態にある場合には、該振分け部材２８,２８が互いに内側(第２通路２４ｂ側)を向くように傾動して、パチンコ球Ｓが第２通路２４ｂに流入するのを規制し、振分け部材２８,２８が第２状態にある場合には、該振分け部材２８,２８が互いに外側(第１通路２４ａ,２４ａ側)を向くように傾動し、パチンコ球Ｓが第１通路２４ａ,２４ａに流入するのを規制するようになっている。
【００２９】
(ステージ部材について)
前記下部入賞空間１７ｂ(入賞空間１７)には、後述する貯留部材３９,４１や案内部材４２の形状、貯留部材３９,４１に貯留し得るパチンコ球Ｓの数、あるいは特別遊技状態中における動作(演出)等の態様の異なる複数(実施例では３つ)のステージ２９,３０,３１を有するステージ部材３２が、前記特別領域１８より後方において水平回転可能に配設されている。すなわち、このステージ部材３２は、前記下部入賞空間１７ｂの底面に設けられた前記凹部２５内に回転可能に収容された円盤状本体３３の上面に、周方向に１２０°の間隔で３枚の画壁３４,３４,３４が放射状に立設され、これら３枚の画壁３４,３４,３４の間に第１〜３ステージ２９,３０,３１が設けられている。そして、後述する駆動機構３５によりステージ部材３２を回転して、何れか１つのステージ２９,３０,３１を入賞装置Ｍの前面側に入替可能に出現させるよう構成される。すなわち、前記ステージ部材３２は、第１ステージ２９が前記入賞装置Ｍの前面側に出現する第１停止位置、第２ステージ３０が入賞装置Ｍの前面側に出現する第２停止位置および第３ステージ３１が入賞装置Ｍの前面側に出現する第３停止位置で停止して遊技を行なうよう構成される。
【００３０】
なお、ステージ部材３２を前記第１〜第３停止位置で停止したときには、入賞装置Ｍの前面側に出現しているステージ２９,３０,３１を画成している２枚の画壁３４,３４により下部入賞空間１７ｂは前後に仕切られ、後側に位置している他のステージ２９,３０,３１が前側(遊技者)からは見えないよう構成してある(図８,図１０参照)。また、前記仕切板２４の第１通路２４ａ,２４ａや第２通路２４ｂを介して下部入賞空間１７ｂに通入したパチンコ球Ｓは、入賞装置Ｍの前面側に出現しているステージ２９,３０,３１を画成している２枚の画壁３４,３４よりも前側に導かれるようになっており、該画壁３４,３４によりステージ部材３２(下部入賞空間１７ｂ)の後側にパチンコ球Ｓが移動するのを規制するようになっている。
【００３１】
(駆動機構について)
前記ステージ部材３２を回転駆動する駆動部としての駆動機構３５は、図４または図６に示す如く、前記入賞装置Ｍの本体１３における上部に倒立姿勢で配設された正逆回転可能なモータ３６と、該モータ３６に連結されて一体的に回転する係合継手３７と、前記ステージ部材３２の回転中心において前記画壁３４から上方に突出するよう設けられて、前記係合継手３７に対して係脱可能に係合する被係合継手３８とから構成される。そして、モータ３６を正逆回転することで、両継手３７,３８を介してステージ部材３２が正逆方向に回転するようになっている。なお、モータ３６は、図１２に示す制御部４６により駆動制御されることで、ステージ部材３２を前記第１〜第３停止位置で正確に停止させ得るよう構成してある。実施例では、駆動機構(駆動部)３５と制御部４６とから駆動手段が構成されている。
【００３２】
(第１ステージについて)
前記ステージ部材３２に設けた前記第１ステージ２９には、図６,図８および図９に示す如く、例えばドラキュラの棺桶を模した第１の貯留部材３９が、前記円盤状本体３３に対して上下方向に揺動可能に配設されている。この第１の貯留部材３９は、上方および円盤状本体３３の径方向外方(前記ステージ部材３２を第１停止位置で停止した状態での前方)に開放するよう形成され、その内部に画成される貯留領域には複数(実施例では３個)のパチンコ球Ｓを一時的に貯留可能に構成される。また貯留領域の略中央には、１個のパチンコ球Ｓのみを一時的に貯留可能で、貯留を解除することにより前記特別領域１８に向けてパチンコ球Ｓを放出可能な貯留部３９ａが形成されている。実施例に係る第１の貯留部材３９の構成を更に詳しく述べれば、その底板３９ｃの左右両端縁に一対の側壁３９ｄ,３９ｄが立設されると共に、該底板３９ｃの後端縁に後壁３９ｅが立設され、両側壁３９ｄ,３９ｄおよび後壁３９ｅにより貯留領域が画成され、両側壁３９ｄ,３９ｄの間がパチンコ球Ｓの第１受入口３９ｂとなっている。また、両側壁３９ｄ,３９ｄの間における底板３９ｃに、略球１個分の貯留幅で左右方向に離間して２つの突片４０,４０が立設され、両突片４０,４０の間に前記貯留部３９ａを形成してある。更に、底板３９ａの幅方向の中央で貯留部３９ａに対応する部位には、該底板３９ａから前側に所定長さだけ延出する案内部３９ｆが形成され、貯留部３９ａから放出されるパチンコ球Ｓを該案内部３９ｆにより前側に向けて好適に案内し得るよう構成してある。なお、第１の貯留部材３９へのパチンコ球Ｓの第１受入口３９ｂの幅寸法(貯留領域の幅寸法)は、３個のパチンコ球Ｓを直線的に並べて受入れ可能な広さに設定され、貯留領域(貯留部３９ａ)にパチンコ球Ｓを貯留し易く構成されている。すなわち、第１受入口３９ｂは貯留部３９ａより広い幅に設定されて、前記第１の貯留部材３９は、前記貯留部３９ａの左右両隣にも各１個のパチンコ球Ｓを貯留し得るようになっており、これにより第１の貯留部材３９は合計で３個のパチンコ球Ｓを貯留できる。
【００３３】
前記第１の貯留部材３９は、後述する揺動機構４４を介して上向き状態と下向き状態との間を揺動するよう構成され、その上向き状態では前記貯留領域にパチンコ球Ｓを貯留可能とし得ると共に、下向き状態では貯留しているパチンコ球Ｓを外方に放出し得るよう構成される。すなわち、前記揺動機構４４により前記第１の貯留部材３９を上向き状態から下向き状態に変位させることでパチンコ球Ｓの貯留が解除されて、パチンコ球Ｓが下方に落下する。ここで、前記ステージ部材３２を前記第１停止位置で停止したときには、上向き状態の第１の貯留部材３９における貯留領域(貯留部３９ａ)が、前記仕切板２４の第２通路２４ｂから放出されるパチンコ球Ｓを受入れ可能な位置に臨むと共に、該貯留部３９ａからのパチンコ球Ｓの放出方向と前記特別領域１８とが同一線上になるよう設定されている。更に、第１の貯留部材３９と特別領域１８とは、前記貯留部３９ａから放出されたパチンコ球Ｓが特別領域１８に直接的に投入される位置関係に設定してある。
【００３４】
ここで、前述のように、前記ステージ部材３２は、前記駆動機構３５により回転されて、前記第１の貯留部材３９の貯留部３９ａに貯留したパチンコ球Ｓの放出方向が前記特別領域１８を向く第１位置(すなわち第１停止位置)と、パチンコ球Ｓの放出方向が前記第２の一般領域１９ｂを向く第２位置(すなわち第２または第３停止位置)とに変位可能である。すなわち、前記ステージ部材３２を第１位置で停止し、前記第１の貯留部材３９を上向き状態から下向き状態に変位する第１の動作を行なうことにより、貯留したパチンコ球Ｓを前記特別領域１８に向けて放出し得ると共に、前記駆動機構３５によりステージ部材３２を回転して前記第２位置に変位し、かつ第１の貯留部材３９を上向き状態から下向き状態に変位する第２の動作を行なうことにより、貯留したパチンコ球Ｓを前記第２の一般領域１９ｂに向けて放出し得るよう構成されている。従って、前記第２の動作を行なった際には、前記第１の貯留部材３９の貯留部３９ａに貯留したパチンコ球Ｓは、前記下部入賞空間１７ｂ(入賞空間１７)の後方に向けて放出されて、前記第２の一般領域１９ｂを通出する。なお、実施例では、前記第１の動作により前記貯留部３９ａから放出されたパチンコ球Ｓは、前記第１傾斜面２６ａの前端部に立設された前記案内片２７,２７の間に落下し、両案内片２７,２７により特別領域１８に略確実に通入されるよう構成される。
【００３５】
また、前記第１停止位置(第１位置)において前記第１の貯留部材３９によるパチンコ球Ｓの貯留を解除した際に、前記貯留部３９ａから放出されたパチンコ球Ｓが前記特別領域１８に通入する確率(以下、送入率と云う)は略１００％に設定されている。すなわち、前記ステージ部材３２が第１停止位置に停止した場合は、略球１個分の入口幅に設定された特別領域１８と、略球１個分の貯留幅に設定された貯留部３９ａとが同一線上になるよう設定されており、その状態において、貯留部３９ａに貯留されたパチンコ球Ｓを特別領域１８に向けて放出するため、放出されたパチンコ球Ｓは、略確実に特別領域１８に通入するよう構成される。
【００３６】
(第２ステージについて)
前記ステージ部材３２に設けた前記第２ステージ３０には、図６,図１０および図１１に示す如く、例えばサメの頭部を模した第２の貯留部材４１が、前記円盤状本体３３に対して上下方向に揺動可能に配設されている。この第２の貯留部材４１は、サメの口に対応して円盤状本体３３の径方向外方(前記ステージ部材３２を第２停止位置で停止した状態での前方)に開放して、１個のパチンコ球Ｓのみを貯留可能な貯留部(貯留領域)４１ａが形成され、貯留を解除することにより貯留部４１ａに貯留されているパチンコ球Ｓを前記特別領域１８に向けて放出可能に構成される。実施例に係る第２の貯留部材４１の構成を更に詳しく述べれば、該貯留部材４１は、上向きに膨出するよう湾曲する上半体４１ｃと下向きに膨出するよう湾曲する下半体４１ｄとから構成され、その前部には、上下半体４１ｃ,４１ｄ間に略球１個分の貯留幅に設定されて前方に開口する貯留領域が形成され、該貯留領域が前記貯留部４１ａとして機能する。すなわち、第２の貯留部材４１では、貯留部４１ａイコール貯留領域となり、また上下半体４１ｃ,４１ｄにより第２の貯留部材４１へのパチンコ球Ｓの第２受入口４１ｂが形成される。更に、下半体４１ｄの幅方向の中央部には、断面凹状の案内部４１ｅが、該下半体４１ｄから前側に所定長さだけ延出するよう形成され、貯留部４１ａから放出されるパチンコ球Ｓを前側に向けて好適に案内し得るよう構成してある。なお、前記第２受入口４１ｂの幅寸法(貯留領域の幅寸法)も、貯留部４１ａの幅と略同じく、１個のパチンコ球Ｓのみを受入れ可能な広さに設定され、前記第１の貯留部材３９に比してパチンコ球Ｓが貯留され難く構成してある。すなわち、前記第２の貯留部材４１へのパチンコ球Ｓの貯留率は、前記第１の貯留部材３９へのパチンコ球Ｓの貯留率より低く設定されており、第１の貯留部材３９と第２の貯留部材４１との間において、パチンコ球Ｓが貯留し易い・難いという差別化が図られている。なお、貯留率とは、第２通路２４ｂから放出されたパチンコ球Ｓが貯留部３９ａ,４１ａに貯留される割合(確率)であり、該貯留率が高いほどパチンコ球Ｓが貯留部３９ａ,４１ａに貯留され易く、低いほど貯留され難いことを示す。
【００３７】
前記第２の貯留部材４１は、後述する揺動機構４４を介して上向き状態と下向き状態との間を揺動するよう構成され、その上向き状態では前記貯留部４１ａにパチンコ球Ｓを貯留し得ると共に、下向き状態では貯留しているパチンコ球Ｓを外方に放出し得るよう構成される。すなわち、前記揺動機構４４により前記第２の貯留部材４１を上向き状態から下向き状態に変位させることでパチンコ球Ｓの貯留が解除されて、該パチンコ球Ｓが下方に落下する。ここで、前記ステージ部材３２を前記第２停止位置で停止したときには、上向き状態の第２の貯留部材４１における貯留部４１ａが、前記仕切板２４の第２通路２４ｂから放出されるパチンコ球Ｓを受入れ可能な位置に臨むと共に、該貯留部４１ａからのパチンコ球Ｓの放出方向と前記特別領域１８とが同一線上になるよう設定されている。更に、第２の貯留部材４１と特別領域１８とは、前記貯留部４１ａから放出されたパチンコ球Ｓが特別領域１８に直接的に投入される位置関係に設定してある。
【００３８】
ここで、前述のように、前記ステージ部材３２は、前記駆動機構３５により回転されて、前記第２の貯留部材４１の貯留部４１ａに貯留したパチンコ球Ｓの放出方向が前記特別領域１８を向く第１位置(すなわち第２停止位置)と、パチンコ球Ｓの放出方向が前記第２の一般領域１９ｂを向く第２位置(すなわち第１または第３停止位置)とに変位可能である。すなわち、前記ステージ部材３２を第１位置で停止し、前記第２の貯留部材４１を上向き状態から下向き状態に変位する第１の動作を行なうことにより、貯留したパチンコ球Ｓを前記特別領域１８に向けて放出し得ると共に、前記駆動機構３５によりステージ部材３２を回転して前記第２位置に変位し、かつ第２の貯留部材４１を上向き状態から下向き状態に変位する第２の動作を行なうことにより、貯留したパチンコ球Ｓを前記第２の一般領域１９ｂに向けて放出し得るよう構成されている。従って、前記第２の動作を行なった際には、前記第２の貯留部材４１の貯留部４１ａに貯留したパチンコ球Ｓは、前記下部入賞空間１７ｂ(入賞空間１７)の後方に向けて放出されて、前記第２の一般領域１９ｂを通出する。
【００３９】
また、前記第２停止位置(第１位置)において前記第２の貯留部材４１によるパチンコ球Ｓの貯留を解除した際に、前記貯留部４１ａから放出されたパチンコ球Ｓが前記特別領域１８に通入する確率(以下、送入率と云う)は略１００％に設定されている。すなわち、前記ステージ部材３２が第２停止位置に停止した場合は、略球１個分の入口幅に設定された特別領域１８と、略球１個分の貯留幅に設定された貯留部４１ａとが同一線上になるよう設定されており、その状態において、貯留部４１ａに貯留されたパチンコ球Ｓを特別領域１８に向けて放出するため、放出されたパチンコ球Ｓは、略確実に特別領域１８に通入するよう構成される。
【００４０】
(第３ステージについて)
前記ステージ部材３２に設けた前記第３ステージ３１には、図５または図７に示す如く、例えばワニの頭部を模した案内部材４２が、その口先を前記円盤状本体３３の径方向外方に向けた姿勢で、該円盤状本体３３に対して上下方向に揺動可能に配設されている。この案内部材４２は、下アゴ部４２ａと上アゴ部４２ｂとからなり、該案内部材４２は後述する揺動機構４４により上下方向に揺動するよう構成され、この揺動時には、下アゴ部４２ａに対して上アゴ部４２ｂが開閉するよう構成される。なお、下アゴ部４２ａに対して上アゴ部４２ｂが開放したときには、下アゴ部４２ａが、円盤状本体３３の径方向外方(前記ステージ部材３２を第３停止位置で停止した状態での前方)に向かうにつれて下方傾斜するよう傾動する。
【００４１】
前記案内部材４２には、パチンコ球Ｓの通過を許容する通路４２ｃが、上下のアゴ部４２ａ,４２ｂ内において円盤状本体３３の径方向に延在するよう形成されると共に、上アゴ部４２ｂにおける径方向内部側には、上下方向に貫通し、パチンコ球Ｓの通過を許容する通口４２ｄが形成されている。そして、この案内部材４２は、第３ステージ３１が入賞装置Ｍの前面側の第３停止位置に停止したときに、前記通口４２ｄが、前記仕切板２４の第２通路２４ｂから放出されるパチンコ球Ｓを受入れ可能な位置に臨むと共に、前記通路４２ｃからのパチンコ球Ｓの放出方向と前記特別領域１８とが同一線上になるよう設定されている。なお、実施例の案内部材４２は、上下のアゴ部４２ａ,４２ｂが開放および閉成の何れの状態においても、前記通口４２ｄから通入したパチンコ球Ｓを、通路４２ｃを介して外方に放出し得るよう構成してある。すなわち、前記案内部材４２には、パチンコ球Ｓを一時的に貯留し得る貯留部は設けられておらず、該案内部材４２にパチンコ球Ｓを貯留し得ないようになっている。
【００４２】
前記第３のステージ３１が前面側に出現した状態では、前記ステージ部材３２が所定角度範囲で左右に揺動するよう設定されており、パチンコ球Ｓを貯留しないことと相俟って、前記案内部材４２から放出されたパチンコ球Ｓが前記特別領域１８に通入する確率(以下、誘導率と云う)は低くなっている。なお、誘導率とは、案内部材４２に誘導されて放出されたパチンコ球Ｓが前記特別領域１８に通入する割合(確率)であり、該誘導率が高いほどパチンコ球Ｓが特別領域１８に通入し易く、低いほど通入し難いことを示す。ここで、前記誘導率と前記送入率とは、各ステージ２９,３０,３１が入賞装置Ｍの前面側に出現している状態で、前記第２通路２４ｂから落下したパチンコ球Ｓを特別領域１８に通入させる確率として対応する関係にある。ここで、前記第２の貯留部材４１の送入率は前述の如く略１００％であるのに対して、前記誘導率はこれより低く設定されている。従って、前記第３ステージ３１が前面側に出現した状態での特別領域１８への通入率(入賞率)は、前記第２ステージ３０が前面側に出現した状態での特別領域１８への通入率(入賞率)より低くなっている。すなわち、実施例のステージ部材３２における各ステージ２９,３０,３１の特別領域１８への通入率は、第３ステージ３１＜第２ステージ３０＜第１ステージ２９の関係に設定されている。なお、通入率(入賞率)とは、前記入賞空間１７に流入したパチンコ球Ｓが、前記特別領域１８に通入する割合(確率)であって、送入率と貯留率の関係から導出され、該通入率が高いほどパチンコ球Ｓが、特別領域１８に通入し易く、低いほど通入し難いことを示す。
【００４３】
(揺動機構について)
前記ステージ部材３２の下方に臨む前記本体１３には、図７に示す如く、本体裏側に配設されたモータ４３を駆動源とする揺動機構４４が配設されており、該揺動機構４４が、ステージ部材３２の回転を許容する状態で、前記各ステージ２９,３０,３１に配設された第１および第２の貯留部材３９,４１と案内部材４２に連繋されている。そして、揺動機構４４を駆動することで、両貯留部材３９,４１および案内部材４２が同期的に上下方向に揺動するよう構成される。なお、前記モータ４３には、スリット円盤と光電センサ等からなる位置検出手段４５が配設され、該位置検出手段４５からの信号に基づいて、前記制御部４６によりモータ４３が回転制御されて、前記第１および第２の貯留部材３９,４１を上向き状態または下向き状態に保持し得ると共に、前記案内部材４２を開放状態または閉成状態に保持し得るようにしてある。
【００４４】
このように、実施例においては、前記ステージ部材３２と第１および第２の貯留部材３９,４１から、パチンコ球Ｓを一時的に停留し得ると共に、停留したパチンコ球Ｓを前記特別領域１８または第２の一般領域１９ｂに向けて放出し得る貯留手段が構成される。すなわち、前記第１および第２の貯留部材３９,４１を上向き状態に変位して貯留部３９ａ,４１ａにパチンコ球Ｓを貯留したもとで前記ステージ部材３２を回転することにより、該第１および第２の貯留部材３９,４１に貯留したパチンコ球Ｓの放出方向を変更し得るようになっている。
【００４５】
(制御部について)
実施例の入賞装置Ｍでは、前記大当りが成立した際に、図１２に示すステージ決定手段４７により、前記３つのステージ２９,３０,３１の内の何れのステージを前面側に出現させて停止するかが決定(ステージの抽選)されるよう構成される。そして、制御部４６では、その決定されたステージ２９,３０,３１が前面側に出現するよう前記モータ３６(駆動機構３５)を駆動制御し、前記ステージ部材３２を１回転以上回転した後に停止するよう設定してある。また制御部４６は、前記ステージ部材３２を回転開始させ、ステージ決定手段４７で決定されたステージ２９,３０,３１を前面側で停止させるまでの間に、前記モータ３６(駆動機構３５)を駆動制御して、該ステージ部材３２に各種の回転中演出動作を行なわせるよう構成されている。すなわち、前記ステージ部材３２は、回転開始してから回転停止するまでの間、回転中演出動作を行なうようになっている。この回転中演出動作としては、ステージ部材３２の回転速度を変化させる動作、ステージ部材３２の回転を一旦停止させてから再び回転させる動作を繰返す動作、ステージ部材３２の回転方向を変化させる動作等があり、その内の少なくとも何れか一つの動作、あるいは複数の動作を組合わせて行なわせるようにしてある。なお、この回転中演出動作の種類は、前記ステージ決定手段４７でのステージ決定に際して選択されたり、あるいは各ステージ毎に予め設定されているもの等、何れの方法により設定されるものであってもよい。
【００４６】
更に、前記制御部４６は、前記ステージ部材３２を停止させる直前に、前記モータ３６(駆動機構３５)を駆動制御して、該ステージ部材３２に所定の停止前演出動作を行なわせるよう構成される。すなわち、前記ステージ部材３２は、停止前演出動作を行なって回転停止するようになっている。なお、停止前演出動作は、前記回転中演出動作に含まれるものであって、該回転中演出動作の一環として、前記ステージ部材３２が回転停止する直前に行なわれる。この停止前演出動作としては、２つのステージの境界(画壁３４)が前面側に臨む状態で該境界を中心として正逆回転を繰返す動作を行なってから何れかのステージを前面側に停止させる動作、任意のステージを一旦前面側の停止位置に停止させてから再び回転して任意のステージと同じあるいは異なるステージを前面側の停止位置に停止させる動作、正回転で任意のステージが前面側を通過してから逆回転させて任意のステージと同じあるいは異なるステージを前面側の停止位置に停止させる動作等があり、その内の何れか一つの動作を行なわせるようにしてある。
【００４７】
前記入賞装置Ｍは、前記ラウンド遊技の移行回数を計数する計数手段４８を備えると共に、前記制御部４６は、前記ステージ決定手段４７によるステージの決定時(抽選時)には、１ラウンド目のみでなく、予め設定された異なるラウンド(例えば５ラウンドと１０ラウンド等)まで継続したときに前面側に出現させるステージも決定するよう設定されている。すなわち、制御部４６は、計数手段４８が計数した移行回数が予め定めた設定回数に達したときに、ステージ決定手段４７の決定結果に基づき、前記モータ３６(駆動機構３５)を駆動制御してステージ部材３２を回転させて、決定されたステージを前面側に出現して停止させるよう構成される。
【００４８】
(効果音出力手段について)
前記パチンコ機には、前記制御部４６により制御される効果音出力手段４９が設けられており、該効果音出力手段４９は、前記ステージ部材３２の回転中演出動作時に、該動作に合わせて効果音を出力するよう構成される。なお、実施例では前面側に出現される各ステージ２９,３０,３１毎に、効果音出力手段４９から出力される効果音が異なるよう設定されている。例えば、前記入賞装置Ｍの前面側に第１ステージ２９が出現した場合は、第１の効果音が効果音出力手段４９から出力される。また、第２ステージ３０が出現した場合は、第２の効果音が効果音出力手段４９から出力され、第３ステージ３１が出現した場合は、第３の効果音が効果音出力手段４９から出力される。そして、前記ステージ部材３２の回転中演出動作時には、前記第１〜第３の効果音とは異なる第４の効果音が効果音出力手段４９から出力される。
【００４９】
(開閉部材、振分け部材およびステージ部材の動作態様について)
前記開閉部材１６,１６、振分け部材２８,２８およびステージ部材３２の動作態様につき簡単に説明する。通常遊技状態において、前記開閉部材１６,１６の夫々は、前記閉鎖状態に位置すると共に、前記振分け部材２８,２８は第１状態で停止している。また前記ステージ部材３２は、前記第２ステージ３０が入賞装置Ｍの前面側に位置する前記第２停止位置で停止すると共に、前記第２の貯留部材４１は下向き状態に保持されるようになっている。なお、前記第１の貯留部材３９も下向き状態とされると共に、前記案内部材４２においては上下のアゴ部４２ａ,４２ｂが閉成状態に保持される。
【００５０】
前記第１または第２始動入賞具Ｎ１,Ｎ２にパチンコ球Ｓが通入すると、前記開閉部材１６,１６の夫々は、パチンコ球Ｓが通入した始動入賞具Ｎ１,Ｎ２に応じて前記閉鎖状態から開放状態に１回または２回変位する。また前記振分け部材２８,２８の夫々も、パチンコ球Ｓが通入した始動入賞具Ｎ１,Ｎ２に応じた態様で第１状態から第２状態への揺動を行ない、前記入賞口１５,１５に通入したパチンコ球Ｓを左右(第１通路２４ａ,２４ａ)または中央後方(第２通路２４ｂ)に振分け得るよう設定される。更に、前記ステージ部材３２においては、第２の貯留部材４１を上向き状態としたもとで、第２ステージ３０が後側に隠れない所定角度範囲でステージ部材３２を左右に揺動する動作を行なった後、第２の貯留部材４１を下向き状態に戻すよう構成される。
【００５１】
次に、特別遊技状態における開閉部材１６,１６、振分け部材２８,２８およびステージ部材３２の動作態様につき説明する。前記大当りが成立すると、所定時間の経過後(インターバル後)に１回目のラウンド遊技が開始して、前記開閉部材１６,１６が前記ラウンド遊技終了条件を満たすまで開閉動作を繰返すようになっている。また、大当りが成立すると、前記ステージ決定手段４７は、ステージ部材３２における何れのステージ２９,３０,３１を入賞装置Ｍの前面側に出現させて遊技を行なうかを決定し、前記制御部４６によりモータ３６が駆動制御されて、前記インターバル時にステージ部材３２に前述した停止前演出動作を含む各種の回転演出動作を行なわせた後、該ステージ部材３２を前記第１〜第３停止位置の何れかの停止位置で停止し、決定された特定のステージ２９,３０,３１を入賞装置Ｍの前面側に出現させる。このように、前記各ラウンド遊技の初めには、前記ステージ部材３２に停止前演出動作を含む回転演出動作を行なわせるインターバル演出が行なわれる。
【００５２】
前記第１ステージ２９に決定された場合は、前記第１の貯留部材３９は上向き状態に保持されると共に、ステージ部材３２はラウンド遊技終了条件を満たすまで前記第１停止位置で停止保持される(図１３参照)。また第２ステージ３０に決定された場合は、前記第２の貯留部材４１は上向き状態に保持されると共に、所定の条件(例えば入賞口１５に１個目のパチンコ球Ｓが通入したこと)が満たされてからラウンド遊技終了条件を満たすまでの間、ステージ部材３２が前記第２停止位置を中心として所定角度範囲で左右に揺動する(図１４参照)。なお、第３ステージ３１に決定された場合は、ラウンド遊技終了条件を満たすまでステージ部材３２が前記第３停止位置を中心として所定角度範囲で左右に揺動すると共に、前記案内部材４２は、所定の条件(例えば入賞口１５に５個目のパチンコ球Ｓが通入したこと)が満たされるまで上下のアゴ部材４２ａ,４２ｂを閉成状態に保持し、それ以降はラウンド遊技終了条件を満たすまで開閉動作を繰返すように設定される。
【００５３】
また、図１３または図１４に示すように、各ラウンド遊技に際して前記第１ステージ２９または第２ステージ３０が前記入賞装置Ｍの前面側に位置する場合には、前記入賞空間１７に１０個のパチンコ球Ｓが通入するか、前記開閉部材１６,１６が１８回開閉して前記ラウンド遊技終了条件が成立するとエンディング演出が行なわれる。このエンディング演出では、前記第１ステージ２９に決定されていた場合は、前記有効時間内に、前記ステージ部材３２を第１位置(すなわち第１停止位置)で停止させたまま前記第１の貯留部材３９を上向き状態から下向き状態に変位させて前記第１の動作を行ない(図１２参照)、前記第２ステージ３０に決定されていた場合は、該有効時間内に、前記ステージ部材３２を第１位置(すなわち第２停止位置)で停止して前記第２の貯留部材４１を上向き状態から下向き状態に変位させて前記第１の動作を行なうようになっている(図１４参照)。
【００５４】
ここで、前記第１の貯留部材３９または第２の貯留部材４１が前記第１の動作を行なう際に、該貯留部材３９,４１の貯留部３９ａ,４１ａにパチンコ球Ｓが貯留されていた場合には、該貯留部３９ａ,４１ａから放出されたパチンコ球Ｓが、前記特別領域１８に通入して前記大当り継続条件が成立し、次のラウンド遊技に移行する。なお、次のラウンド遊技に移行すると、前述と同様にインターバル時に、前記停止前演出動作を含む回転中演出動作を行なった後に、前記ステージ決定手段４７により決定された特定のステージ２９,３０,３１を入賞装置Ｍの前面側に出現させて、前述と同様のラウンド遊技が行なわれる。そして、前記大当り継続条件の成立に伴い、最大１５回まで前記ラウンド遊技を行なって大当りを継続し得るようになっている。一方、前記第１の動作を行なう際に、前記第１または第２の貯留部材３９,４１の貯留部３９ａ,４１ａにパチンコ球Ｓが貯留されていない場合には、該貯留部３９ａ,４１ａからパチンコ球Ｓが放出されないため、前記大当り継続条件が成立することはなく、エンディング演出が終了する。なお、エンディング演出の終了は、大当りの終了を意味し、該エンディング演出終了後には通常遊技状態に切り替わることとなる。
【００５５】
前記第１の貯留部材３９または第２の貯留部材４１が前記第１の動作を行なった後は、前記有効時間が経過するまで前記ステージ部材３２および各貯留部材３９,４１が停止するよう設定される。ここで、前記ステージ部材３２および各貯留部材３９,４１が停止する時間としては、前記貯留部３９ａ,４１ａから放出されたパチンコ球Ｓが前記特別領域１８まで到達する時間よりも長く設定され、放出されたパチンコ球Ｓが特別領域１８に通入する前に前記有効時間が経過しないようになっている。また、前記有効時間経過後は、少なくとも１回転してから前記ステージ部材３２を第２停止位置で停止させて第２ステージ３０を入賞装置Ｍの前面側に停止させた状態で、所定時間だけ各貯留部材３９,４１および案内部材４２を揺動して前記エンディング演出が終了するよう設定されている。なお、前記ステージ決定手段４７により、前記第３ステージ３１が選択された場合には、前記案内部材４２に貯留部を設けていないことから、当該ラウンド遊技中に前記特別領域１８にパチンコ球Ｓが通入した場合にのみ、次のラウンド遊技に移行するようになっている。
【００５６】
前記振分け部材２８,２８は、前記決定されたステージの種類に応じて異なる動作を行なうよう設定される。すなわち、第１ステージ２９に決定された場合は、前記開閉部材１６,１６が開閉動作を開始する(インターバル演出が終了する)と同時に振分け部材２８,２８が第１状態から第２状態に揺動し、ラウンド遊技終了条件を満たすまでこの第２状態に保持される(図１３参照)。これに対し第２ステージ３０に決定された場合は、前記第２の貯留部材４１が左右の揺動を開始するときに、前記第２の貯留部材４１が第１状態から第２状態に揺動し、ラウンド遊技終了条件を満たすまでこの第２状態に保持される(図１４参照)。更に、第３ステージ３１に決定された場合は、前記開閉部材１６,１６が開閉動作を開始する(インターバル演出が終了する)と同時に振分け部材２８,２８は第１状態と第２状態との間の揺動を繰返し、所定の条件(例えば入賞口１５に９個目のパチンコ球Ｓが通入したこと)が満たされると、ラウンド遊技終了条件を満たすまで第２状態に保持されるよう設定されている。
【００５７】
前記各ラウンド遊技中に、前記第１または第２の貯留部材３９,４１に貯留したパチンコ球Ｓとは別のパチンコ球Ｓが前記特別領域１８に通入する、イレギュラー入賞が発生した場合の前記ステージ部材３２の動作態様につき説明する。前記イレギュラー入賞が発生すると大当り継続終了条件が成立し、前記エンディング演出を行なうことなく次のラウンド遊技へ移行してインターバル演出が行なわれる。ここで、前記インターバル演出時には、前記ステージ部材３２を回転した際に、前記第１または第２の貯留部材３９,４１を上向き状態から下向き状態に変位させて前記第２の動作を行なうよう設定してある。すなわち、前記イレギュラー入賞が発生した際には、前記第１または第２の貯留部材３９,４１の貯留部３９ａ,４１ａに貯留したパチンコ球Ｓを前記入賞空間１７の後方位置に形成した前記第２の一般領域１９ｂに向けて放出するよう構成されている。なお、前記イレギュラー入賞が発生するパターンとしては、前記第２通路２４ｂから放出されたパチンコ球Ｓが第１または第２の貯留部材３９,４１に当たって弾かれて、直接特別領域１８に入賞するパターンや、第１通路２４ａ,２４ａから放出されたパチンコ球Ｓが入賞装置Ｍの壁部等に当たって弾かれて直接特別領域１８に入賞するパターン等がある。
【００５８】
〔実施例の作用〕
次に、本実施例に係るパチンコ機の作用につき説明する。前記遊技盤Ｊの盤面に打ち出され、前記遊技領域Ｉを流下するパチンコ球Ｓが、前記第１始動入賞具Ｎ１または第２始動入賞具Ｎ２に通入すると、前記開閉部材１６,１６が１回または２回開閉する。このとき、前記入賞口１５,１５から前記入賞装置Ｍの内部に通入したパチンコ球Ｓは、前記案内出口２３,２３を介して上部入賞空間１７ａに通入する。また前記振分け部材２８,２８が第１状態と第２状態との間を揺動し、上部入賞空間１７ａに通入したパチンコ球Ｓは、直接または仕切板２４を転動した後に、前記第１通路２４ａ,２４ａまたは第２通路２４ｂを介して下部入賞空間１７ｂに流入する。なお、前記振分け部材２８,２８が第１状態にある場合には、前記第１通路２４ａ,２４ａ側にパチンコ球Ｓが振分けられ、該振分け部材２８,２８が第２状態にある場合には、前記第２通路２４ｂ側にパチンコ球Ｓが振分けられる。
【００５９】
前記第１通路２４ａ,２４ａを介して下部入賞空間１７ｂの左右両側に流入したパチンコ球Ｓは、前記第１傾斜面２６ａに落下して前側に向けて転動し、前記第１の一般領域１９ａ,１９ａに通入する。なお、第１傾斜面２６ａを転動するパチンコ球Ｓは、前記案内片２７,２７に規制されて、前記特別領域１８に通入することは殆どない。
【００６０】
これに対して、前記第２通路２４ｂを介して下部入賞空間１７ｂの中央後方に流入したパチンコ球Ｓは、前記第２停止位置に停止している第２ステージ３０における第２の貯留部材４１に向けて落下する。このパチンコ球Ｓの落下タイミングにおいて、第２の貯留部材４１が上向き状態となっていれば、該貯留部材４１の前記貯留部４１ａにパチンコ球Ｓが入り、第２の貯留部材４１が下向き状態となることで貯留部４１ａから放出されるパチンコ球Ｓは、前記特別領域１８に通入し、特別遊技状態に移行する(図１０,図１１参照)。
【００６１】
前述したように、大当りが成立すると、前記ステージ決定手段４７では、ステージ部材３２における何れのステージ２９,３０,３１を前面側の停止位置で停止するかを決定し、その決定されたステージ２９,３０,３１が前面側に出現するよう、前記制御部４６は前記駆動機構３５(駆動部)を駆動制御して、ステージ部材３２にインターバル演出を行なわせた後に停止する。このとき、ステージ部材３２においては、前述した各種の回転中演出動作が行なわれ、遊技者は前面側に出現するステージ２９,３０,３１が順に入替わるだけの変化のみでなく、回転速度や回転方向が変化する等の異なる演出により遊技を楽しむことができる。しかも、実施例のステージ部材３２では、各ステージ２９,３０,３１毎に特別領域１８への入賞率を異なるよう設定しているから、遊技者は何れのステージ２９,３０,３１が前面側に停止するかに大きな関心があり、従来のように予め次に停止するステージが分かっている場合に比べ、面白みが増す。
【００６２】
更に、前記ステージ部材３２が停止する直前には、前述したように、２つのステージの境界(画壁３４)が前面側に臨む状態で該境界を中心として正逆回転を繰返したり、任意のステージを一旦前面側の停止位置に停止させてから再び回転したり、正回転で任意のステージが前面側を通過してから逆回転させる等の停止前演出動作が行なわれる。従って、この停止前演出動作によって、遊技者はステージ部材３２の停止が間近であり、何れのステージが前面側に停止するのかという期待感が高まる。また、ステージ部材３２の停止前演出動作を含む回転中演出動作時には、前記効果音出力手段４９により効果音が出力されるから、ステージ部材３２が回転する等、動きによる視覚的な演出だけでなく、効果音による聴覚的な演出も同時になされ、遊技の興趣が一層高まる。
【００６３】
(第１ステージに決定された場合)
前記第１ステージ２９を入賞装置Ｍの前面側に出現させる場合は、前記駆動機構３５を駆動して前記停止前演出動作を含む回転中演出動作を実施した後に、前記ステージ部材３２を前記第１停止位置で停止し、ラウンド遊技を開始する。また前記揺動機構４４が駆動されて、前記第１の貯留部材３９は下向き状態から上向き状態に揺動され、この上向き状態に保持される。更に、前記振分け部材２８,２８は、第２状態に保持される。すなわち、前記入賞口１５,１５から上部入賞空間１７ａに通入したパチンコ球Ｓの多くは、振分け部材２８,２８を介して前記第２通路２４ｂに向けて振分けられ、下部入賞空間１７ｂの中央後方に流入することとなる。従って、該パチンコ球Ｓは、前記第１の貯留部材３９の上方に落下する。
【００６４】
このとき、前記ステージ部材３２が停止状態で、かつ第１の貯留部材３９は上向き状態で保持されるから、前記第２通路２４ｂから落下するパチンコ球Ｓは、高い割合で第１の貯留部材３９の貯留領域(貯留部３９ａ)に貯留される(図８参照)。前述した如く、第１の貯留部材３９における貯留領域の第１受入口３９ｂは、３個のパチンコ球Ｓを受入れ可能な広さに設定されているから、第２通路２４ｂから落下するパチンコ球Ｓは、第１の貯留部材３９に貯留され易い。
【００６５】
そして、前記ラウンド遊技中に、前記入賞空間１７に１０個のパチンコ球Ｓが通入するか、前記開閉部材１６,１６が１８回開閉して前記ラウンド遊技終了条件が成立すると、前記ステージ部材３２を前記第１位置(すなわち第１停止位置)で停止させたまま、前記第１の貯留部材３９を上向き状態から下向き状態に変位する前記第１の動作を行ない、図９に示す如く、該第１の貯留部材３９の貯留領域に貯留されている３個のパチンコ球Ｓを夫々前方に向けて放出する。前述したように、前記ステージ部材３２を前記第１位置に停止した状態では、前記貯留部３９ａに貯留したパチンコ球Ｓの前記特別領域１８への送入率を略１００％に設定してあるから、該パチンコ球Ｓを前記特別領域１８に略確実に通入させ得る。このように、各ラウンド遊技中に、パチンコ球Ｓが特別領域１８に通入しないとき、すなわち前記イレギュラー入賞が発生しないときには、前記第１の貯留部材３９の貯留部３９ａに貯留したパチンコ球Ｓを特別領域１８に向けて放出する第１の動作をステージ部材３２および第１の貯留部材３９に行なわせることで、大当り継続条件を成立させて次のラウンド遊技に移行させ、大当りを継続することができる。従って、遊技者の期待感を損ねることはない。なお、第１の貯留部材３９に貯留されている３個のパチンコ球Ｓを放出する際は、中央にあるパチンコ球Ｓが、両側にあるパチンコ球Ｓ,Ｓにより挟まれた状態で３個同時に落下するため、中央のパチンコ球Ｓは略真っ直ぐに放出され、特別領域１８への送入率はより高められている。
【００６６】
また、前記入賞空間１７に１０個のパチンコ球Ｓが通入するか、前記開閉部材１６,１６が１８回開閉する前に、前記特別領域１８にパチンコ球Ｓが通入してイレギュラー入賞が発生した場合には、前記第１の貯留部材３９の貯留部３９ａにパチンコ球Ｓを貯留させたまま前記ステージ部材３２を回転して、該貯留部３９ａに貯留したパチンコ球Ｓの放出方向が前記第２の一般領域１９ｂを向く前記第２位置に変位し、更に該第１の貯留部材３９を上向き状態から下向き状態に変位する前記第２の動作が行なわれる。このように、イレギュラー入賞が発生した際にステージ部材３２および第１の貯留部材３９により第２の動作を行なわせ、前記第１の貯留部材３９の貯留部３９ａに貯留したパチンコ球Ｓを前記入賞空間１７の後方位置に形成した前記第２の一般領域１９ｂに向けて放出するようにしたから、この貯留部３９ａに貯留したパチンコ球Ｓが特別領域１８に通入して重複入賞が生ずることはない。
【００６７】
(第２ステージに決定された場合)
前記第２ステージ３０を入賞装置Ｍの前面側に出現させる場合には、前記駆動機構３５を駆動して前記停止前演出動作を含む回転中演出動作を実施した後、前記ステージ部材３２を前記第２停止位置で停止し、ラウンド遊技を開始する。また前記揺動機構４４が駆動されて、前記第２の貯留部材４１は下向き状態から上向き状態に揺動され、この上向き状態に保持される。更に、前記振分け部材２８,２８は、前記入賞口１５,１５に１個目のパチンコ球Ｓが通入した後に、第１状態から第２状態に揺動して保持される。すなわち、前記入賞口１５,１５から上部入賞空間１７ａに通入する２個目以後のパチンコ球Ｓの多くは、振分け部材２８,２８を介して前記第２通路２４ｂに向けて振分けられ、下部入賞空間１７ｂの中央後方に流入する。従って、該パチンコ球Ｓは、前記第２の貯留部材４１の上方に落下する。
【００６８】
前記第２ステージ３０では、前記第２の貯留部材４１が上向き状態で、前記入賞口１５,１５に１個目のパチンコ球Ｓが通入した後は前記ステージ部材３２(第２の貯留部材４１)が左右に揺動しているから、前記第２通路２４ｂから落下するパチンコ球Ｓの該貯留部材４１における貯留部４１ａへの貯留され易さは、前記第１の貯留部材３９の場合より低くなる(すなわち、貯留され難くなる)。しかも、第２の貯留部材４１における貯留部４１ａへの第２受入口４１ｂは、パチンコ球Ｓを１個のみ受入れ可能な広さしかなく、第１の貯留部材３９との関係で、パチンコ球Ｓが貯留され易い・難いと云う差別化が図られる。
【００６９】
そして、前記ラウンド遊技中に、前記入賞空間１７に１０個のパチンコ球Ｓが通入するか、前記開閉部材１６,１６が１８回開閉して前記ラウンド遊技終了条件が成立して、前記ステージ部材３２を前記第１位置(すなわち第２停止位置)で停止し、前記第２の貯留部材４１を上向き状態から下向き状態に変位する前記第１の動作を行ない、図１０に示すように該第２の貯留部材４１の貯留部４１ａに貯留されているパチンコ球Ｓを前記特別領域１８に向けて放出する(図１１参照)。前述したように、前記ステージ部材３２を前記第１位置に停止した状態では、前記第２の貯留部材４１の貯留部４１ａに貯留したパチンコ球Ｓの前記特別領域１８への送入率を略１００％に設定してあるから、該パチンコ球Ｓを特別領域１８に確実に通入させ得る。このように、各ラウンド遊技中に、パチンコ球Ｓが特別領域１８に通入しないとき、すなわち前記イレギュラー入賞が発生しないときに、前記第２の貯留部材４１の貯留部４１ａに貯留したパチンコ球Ｓを特別領域１８に向けて放出する第１の動作をステージ部材３２および第２の貯留部材４１に行なわせるようにしたことで、大当り継続条件を成立させて次のラウンド遊技に移行させ、大当りを継続させ得るから、遊技者の期待感を損ねることはない。但し、第２の貯留部材４１に対するパチンコ球Ｓの貯留し易さ(貯留率)は、第１の貯留部材３９に対するパチンコ球Ｓの貯留し易さ(貯留率)よりは低いため、全体として第２ステージ３０が入賞装置Ｍの前面側に出現した状態での特別領域１８への入賞率は、第１ステージ２９が入賞装置Ｍの前面側に出現した状態での特別領域１８への入賞率より相対的に低くなる。
【００７０】
また、前記入賞空間１７に１０個のパチンコ球Ｓが通入するか、前記開閉部材１６,１６が１８回開閉する前に、前記特別領域１８にパチンコ球Ｓが通入してイレギュラー入賞が発生した場合には、前記第２の貯留部材４１の貯留部４１ａにパチンコ球Ｓを貯留させたまま前記ステージ部材３２を回転して該貯留部４１ａに貯留したパチンコ球Ｓの放出方向が前記第２の一般領域１９ｂを向く前記第２位置に変位し、更に第２の停留部材４１を上向き状態から下向き状態に変位して第２の動作が行なわれる。このように、イレギュラー入賞が発生した際にステージ部材３２および第２の貯留部材４１により第２の動作を行ない、該第２の貯留部材４１の貯留部４１ａに貯留したパチンコ球Ｓを前記入賞空間１７の後方位置に形成した前記第２の一般領域１９ｂに向けて放出するようにしたから、この貯留部４１ａに貯留したパチンコ球Ｓが特別領域１８に通入して重複入賞が生ずることはない。
【００７１】
(第３ステージに決定された場合)
前記第３ステージ３１を入賞装置Ｍの前面側に出現させる場合には、前記駆動機構３５を駆動して前記停止前演出動作を含む回転中演出動作を実施した後に、前記ステージ部材３２を前記第３停止位置で停止し、ラウンド遊技を開始する。そして、前記入賞空間１７に１０個のパチンコ球Ｓが通入するか、前記開閉部材１６,１６が１８回開閉する前に、前記特別領域１８にパチンコ球Ｓが通入すると、前記大当り継続条件が成立して次のラウンド遊技に移行させ、大当りを継続することができる。ここで、前記案内部材４２にパチンコ球Ｓを貯留する貯留部を形成していないから、パチンコ球Ｓを貯留し得ない。更に、第３ステージ３１が入賞装置Ｍの前面側に出現した状態では、前記ステージ部材３２(案内部材４２)が左右に揺動するよう設定されており、第２通路２４ｂから落下するパチンコ球Ｓの前記特別領域１８への誘導率も低くなっている。なお、前述したように、前記誘導率と送入率とは対応する関係にあることから、前記入賞装置Ｍの前面側に出現したステージが第３ステージ３１の場合には、前記特別領域１８へのパチンコ球Ｓの通入率は、第１ステージ２９や第２ステージ３０の場合より低くなっている。
【００７２】
前記第１、第２または第３ステージ２９,３０,３１が前面側に出現している状態で、前記計数手段４８が計数したラウンドの継続回数が予め定めた設定回数に達したときには、前記制御部４６は、ステージ決定手段４７により予め決定されている結果に基づき、前記駆動機構３５を駆動制御してステージ部材３２を回転させて、決定されたステージを前面側に出現して停止させる。この場合においても、ステージ部材３２は、前述した停止前演出動作を含む各種の回転中演出動作が実施された後に停止するから、この演出動作中において遊技者は、入賞率が高いステージに入替わることへの期待感を抱き、遊技に対する興味は高くなる。また停止前演出動作を含む回転中演出動作時には、前記効果音出力手段４９により効果音が出力されるので、聴覚的な演出によっても遊技の興趣が向上する。
【００７３】
前述したように実施例のパチンコ機では、入賞装置Ｍに配設されて複数のステージ２９,３０,３１を前面側に入替え可能に停止し得るよう構成したステージ部材３２において、停止前演出動作を含む回転中演出動作を実施することで、入替わって前面側に停止するステージ２９,３０,３１が予想できないよう構成されているから、何れのステージ２９,３０,３１が停止するのかということへの興味を抱かせることができる。しかも、各ステージ２９,３０,３１における前記特別領域１８へのパチンコ球Ｓの入賞率を異ならせるようにしたから、遊技者は入賞率が高いステージが停止することを期待して遊技を行なうことができ、興趣が向上する。
【００７４】
なお、多くのパチンコ球Ｓが貯留可能な第１の貯留部材３９が配設された第１ステージ２９における前記入賞率は、少ないパチンコ球Ｓが貯留可能な第２の貯留部材４１が配設される第２ステージ３０における前記入賞率より高くなるよう設定してあるから、遊技者が遊技性を容易に理解することができ、不信感を与えることもない。更に、前記ステージ部材３２と貯留部３９ａ,４１ａを備えた第１の貯留部材３９および第２の貯留部材４１とを利用して第２の動作を行なわせるようにしたことで、前記特別領域１８へのパチンコ球Ｓの重複入賞は生じないから、遊技者に不信感を与えることもない。
【００７５】
〔変更例〕
本願は、前述した実施例の構成に限定されるものでなく、その他の構成を適宜に採用することができる。
１．ステージ部材に設けられるステージの数は、実施例のように３つに限定されるものでなく、２つまたは４つ以上の複数であればよい。
２．各貯留部材における遊技球の貯留数は、実施例の個数に限定されるものでない。
３．実施例では、特別領域に遊技球が最初に通入した際に、ステージ決定手段により予め設定されたラウンドの継続条件が満たされたときに前面側に出現させるステージを決定しているが、計数手段が設定回数を計数した時点で、ステージ決定手段で新たなステージを決定するようにしてもよい。
４．実施例では第１および第２のステージに貯留部材を配設したが、第３ステージにも貯留部材を配設するようにしてもよい。すなわち、ステージ部材に設けられる全てのステージに貯留部材を夫々配設する構成を採用し得る。但し、この場合においても、各ステージにおける特別領域への入賞率が異なるよう設定する必要がある。
５．開閉部材の動作形式としては、実施例の揺動形式に限らず、スライド形式であってもよい。すなわち、本体の基枠体に設けた左右の球受け用のスライド部材が、対向閉鎖状態と両外側への離隔開放状態とに移動変化されて入賞口を開閉する構成を採用し得る。
６．開閉部材、振分け部材、ステージ部材および貯留部材や案内部材の可動条件は、実施例で説明したものに限られるものではなく、適宜に変更可能である。
７．実施例では、ステージ部材は、回転停止する直前に停止前演出動作を行なうようになっているが、停止前演出動作を行なわなくてもよい。すなわち、停止前演出動作を行なわずに回転停止するようにしてもよい。
【００７６】
〔付記〕
本発明に係る遊技機に関しては、以下に示す具体的構成に限定することが可能である。
〔付記１〕
複数の前記ステージは、前記特別領域への遊技球の入賞率が夫々異なるように構成されている請求項１〜５の何れかに記載の遊技機。
そして、付記１の構成によれば、各ステージにおける特別領域への入賞率を異なるよう設定したことで、遊技の興趣を更に向上することができる。
【００７７】
〔付記２〕
特別遊技中に前記特別領域に遊技球が通入することで特別遊技が継続するよう構成されると共に、前記特別遊技の継続回数を計数する計数手段を設け、前記駆動手段は、前記計数手段が計数した継続回数が予め定めた設定回数に達したときに、前記ステージ決定手段の決定結果に基づき、前記ステージ部材を回転させて、決定されたステージを前面側に現して停止させる請求項１〜５または付記１記載の遊技機。
そして、付記２の構成によれば、特別遊技が予め定めた設定回数だけ継続したときにステージを入替えるよう構成したから、入賞率が高いステージに入替わることへの期待感を与えることができる。
【００７８】
〔付記３〕
前記効果音出力手段は、前記ステージ毎に異なる効果音を出力するよう設定される請求項５記載の遊技機。
そして、付記３の構成によれば、効果音出力手段により各ステージ毎に異なる効果音を出力することで、興趣が向上する。
【図面の簡単な説明】
【００７９】
【図１】本発明の好適な実施例に係るパチンコ機の入賞装置を横断して示す概略斜視図である。
【図２】実施例に係るパチンコ機の遊技盤を示す正面図である。
【図３】実施例に係る入賞装置を示す正面図である。
【図４】実施例に係る入賞装置の要部を示す概略斜視図である。
【図５】実施例に係る入賞装置の要部を縦断して示す側面図である。
【図６】実施例に係る入賞装置に配設されるステージ部材を駆動機構と共に示す概略斜視図である。
【図７】実施例に係る入賞装置に配設されるステージ部材を揺動機構と共に示す概略斜視図である。
【図８】実施例に係る入賞装置の要部を、前面側に停止している第１ステージの第１の貯留部材にパチンコ球が貯留された状態で示す概略斜視図である。
【図９】実施例に係る入賞装置の要部を、前面側に停止している第１ステージの第１の貯留部材からパチンコ球が放出された状態で示す概略斜視図である。
【図１０】実施例に係る入賞装置の要部を、前面側に停止している第２ステージの第２の貯留部材にパチンコ球が貯留された状態で示す概略斜視図である。
【図１１】実施例に係る入賞装置の要部を、前面側に停止している第２ステージの第２の貯留部材からパチンコ球が放出された状態で示す概略斜視図である。
【図１２】実施例に係るパチンコ機における主要な制御ブロック図である。
【図１３】大当りが成立して第１ステージが選択された場合のラウンド遊技におけるステージ部材、第１の貯留部材および振分け部材の動作態様を示すタイミングチャート図である。
【図１４】大当りが成立して第２ステージが選択された場合のラウンド遊技におけるステージ部材、第２の貯留部材および振分け部材の動作態様を示すタイミングチャート図である。
【符号の説明】
【００８０】
１５ 入賞口(球入口)，１６ 開閉部材，１７ 入賞空間，１８ 特別領域
２９ 第１ステージ，３０ 第２ステージ，３１ 第３ステージ，３２ ステージ部材
３５ 駆動機構(駆動手段)，４６ 制御部(駆動手段)，４７ ステージ決定手段
４９ 効果音出力手段，Ｍ 入賞装置，Ｓ パチンコ球(遊技球)
【図１】
2005152144.tif 000003
【図２】
2005152144.tif 000004
【図３】
2005152144.tif 000005
【図４】
2005152144.tif 000006
【図５】
2005152144.tif 000007
【図６】
2005152144.tif 000008
【図７】
2005152144.tif 000009
【図８】
2005152144.tif 000010
【図９】
2005152144.tif 000011
【図１０】
2005152144.tif 000012
【図１１】
2005152144.tif 000013
【図１２】
2005152144.tif 000014
【図１３】
2005152144.tif 000015
【図１４】
2005152144.tif 000016